(57)【要約】【課題】画像の複写を禁止するために使用する特定画像情報を画像データに付加するに際し、画像データに対して変更処理が施される場合であっても、その特定画像情報だけを確実に検出することができるように画像を出力することが可能な画像処理装置を提供する。【解決手段】様々な画像入力手段から入力された画像データに対して、その画像データが示す画像を変更させる変更処理を施す画像変更手段２０ｃを備える。画像変更手段２０ｃで変更処理を施した画像データに対して、特定の画像であることを意味する一定の大きさの特定画像情報を、１又は複数組み付加する特定画像情報付加手段２０ｂを備える。画像変更手段２０ｃでの画像変更処理がなされた後に、特定画像情報付加手段２０ｂが特定画像情報を付加し、印字部１３ｂ等の様々な画像記録手段が付加後画像データを記録用紙等の記録媒体に記録する。【選択図】図１
2007184767.tif 000002
【特許請求の範囲】
【請求項１】
画像データを入力する画像入力手段と、該画像入力手段から入力された画像データに対して、該画像データが示す画像を変更させる変更処理を施す画像変更手段と、該画像変更手段で変更処理を施した画像データに対して、特定の画像であることを意味する一定の大きさの特定画像情報を、１又は複数組み付加する特定画像情報付加手段と、該特定画像情報付加手段で前記特定画像情報が付加された後の画像データを記録媒体に記録する画像記録手段とを備えたことを特徴とする画像処理装置。
【請求項２】
請求項１に記載の画像処理装置において、前記画像変更手段は、前記画像入力手段から入力された画像データに対して、該画像データが示す画像を変倍させる変倍処理を施す画像変倍手段を有することを特徴とする画像処理装置。
【請求項３】
請求項２に記載の画像処理装置において、ユーザ操作を受け付け入力するユーザ操作手段を備え、前記画像変倍手段は、前記ユーザ操作手段で入力されたユーザ操作が、倍率指定変倍設定、用紙指定変倍設定、綴じ代設定、集約設定、分割設定の何れかであった場合、各設定に基づく変倍処理を実行することを特徴とする画像処理装置。
【請求項４】
請求項２又は３に記載の画像処理装置において、前記特定画像情報付加手段は、前記画像変倍手段による画像データの変倍処理によって形成された余白部分には、前記特定画像情報を付加しないことを特徴とする画像処理装置。
【請求項５】
請求項１乃至４のいずれか１項に記載の画像処理装置において、前記画像変更手段は、前記画像入力手段から入力された画像データに対して、該画像データが示す画像の濃度を変更させる濃度変更処理を施す画像濃度変更手段を有し、前記特定画像情報付加手段は、前記画像濃度変更手段で濃度変更処理が施された場合であっても前記特定画像情報の濃度をそのままで付加することを特徴とする画像処理装置。
【請求項６】
請求項１乃至５のいずれか１項に記載の画像処理装置において、前記画像変更手段は、前記画像入力手段から入力された画像データに対して、該画像データが示す画像の向きを回転させる回転処理を施す画像回転手段を有することを特徴とする画像処理装置。
【請求項７】
請求項１乃至６のいずれか１項に記載の画像処理装置において、前記画像記録手段は、記録紙上に画像を形成する画像形成手段であり、前記特定画像情報付加手段は、前記画像形成手段によって記録紙の両面に画像を形成する場合で、且つ前記画像入力手段から入力される画像データが奇数ページ分のデータであった場合に、記録紙の最終ページに相当する空白を示す画像データには前記特定画像情報を付加しないことを特徴とする画像処理装置。
【請求項８】
画像データを入力する画像入力手段と、画像データに対して画像処理を施す画像処理手段と、画像データを記録媒体に記録する画像記録手段とを備えた画像処理装置における画像処理方法であって、前記画像入力手段が画像データを入力する画像入力ステップと、前記画像入力ステップで入力された画像データに対して、該画像データが示す画像を変更させる変更処理を前記画像処理手段が施す画像変更ステップと、該画像変更ステップで変更処理を施した画像データに対して、特定の画像であることを意味する一定の大きさの特定画像情報を、前記画像処理手段が１又は複数組み付加する特定画像情報付加ステップと、該特定画像情報付加ステップで前記特定画像情報が付加された後の画像データを、前記画像記録手段が記録媒体に記録する画像記録ステップとを含むことを特徴とする画像処理方法。
【請求項９】
請求項１乃至７のいずれか１項に記載の画像処理装置に組み込み、該画像処理装置における演算処理装置を、前記特定画像情報付加手段として、或いは前記特定画像情報付加手段及び前記画像変更手段として、機能させるためのプログラム。
【発明の詳細な説明】
【技術分野】
【０００１】
本発明は、画像処理装置、画像処理方法、及びプログラムに関し、より詳細には、画像データに対してその複写を禁止するための特定画像情報を付加可能とした画像処理装置、画像処理方法、その装置に組み込まれる特定画像付加用のプログラムに関する。
【背景技術】
【０００２】
印刷原稿の不正な複写を防止するために、原稿を印刷する際に地紋などの特定画像情報を付与する手法が用いられている。この特定画像情報は、複写防止情報、或いはアンチコピー情報などとも呼ばれる。
【０００３】
例えば、ＰＣ等で動くアプリケーションからプリンタに画像データを送り、プリンタにて画像データを印刷出力するときに、印刷画像の複写を防止するための特定画像情報を上述の画像データとともにプリンタに送ることにより、プリンタでは、印刷画像のどこかにその特定画像情報を埋め込んで印刷出力させるようにする。そして、その特定画像情報が埋め込まれた印刷画像を、複写機を用いて複写しようとすると、その特定画像情報を検出した複写機が、複写印刷を出力しないようにしたり、或いは、“コピー禁止”等の文字を印刷して出力する、等の動作を行うようにする。
【０００４】
上述のような特定画像情報は、ユーザが識別できない形状で印刷画像に埋め込まれている場合の他に、複写を牽制するために、特定画像情報であることをユーザが識別できる形状で印刷画像に埋め込まれている場合がある。しかしながら、いずれにしても、複写機がこれら特定画像情報が埋め込まれた画像情報を複写するときに、複写機は画像情報に特定画像情報が存在していることを検出し、その検出結果に従って、予め定められた処理、例えば、上述のように複写自体を停止したり、“コピー禁止”等の文字を入れて複写画像を出力する処理を行う。
【０００５】
上述のような複写を禁止するための技術に関し、例えば特許文献１には、特定のパターンを付加した原稿を簡単に作成できるようにした複写機が開示されている。ここでは複写機は、原稿画像に特定マークを付加して画像を再生するための特定マークの発生手段と、読み取った原稿画像における特定のマークの有無を検出するマーク有無検出手段と、そのマーク有無検出手段で原稿画像における特定のマークを検出した場合に、複写動作を通常とは異ならせるようにする制御手段を備えている。
【０００６】
また、特許文献２には、特定マークの検出を容易に且つ精度よく行うことができる再生画像を得るようにした複写機が開示されている。ここでは、マーク付加手段により特定のマークを付加した画像を再生する機能を有する複写機において、マーク付加手段が径の異なる複数の同心円により構成された特定のマークを原稿画像に付加するようにしている。
【０００７】
特許文献１及び２に記載の技術を含め、特定画像情報を付加する方法としては、電子透かしのように周波数領域に情報を紛れ込ませる方法、バーコードなどを非画像エリアに付加する方法、ウォーターマークのような情報を画像エリアに付加する方法などがある。
【特許文献１】特開平７−３８７３７号公報
【特許文献２】特開平７−３６３２５号公報
【発明の開示】
【発明が解決しようとする課題】
【０００８】
しかしながら、このような従来技術のシステムでは、印刷画像を読み込んで特定画像情報が含まれているかを検出する際に、印刷画像の特徴によっては誤認識が多くなる。例えば、或る原稿に特定画像情報が印刷されていないにも拘わらず、その原稿を複写した際にその原稿の特徴が特定画像情報の特徴と合致してしまい印刷動作をストップすることがある。また、その原稿の特徴が特定画像情報の特徴と合致していなくても何度も繰り返し複写することで擦れたり所謂ゴミや異物といったものが印刷され、それが特定画像情報の特徴と合致してしまい、その原稿に特定画像情報が印刷されていないにも拘わらず、印刷動作をストップしてしまうこともある。このように、ユーザの使用形態によって特定画像情報の検出精度が異なり、場合によっては検出できなくなることがある。
【０００９】
特に、原稿の画像データに特定画像情報が付加された後に、綴じ代設定、用紙指定変倍設定、倍率設定、集約や分割設定など、変倍処理（画像データの印刷倍率を変化させる処理）を伴う設定を行って印刷やファイル保存を行った場合には、特定画像情報の大きさも変化してしまい、その結果、付加された特定画像情報を正確に読み取って検出することができず、複写防止が行えなくなってしまう。
【００１０】
本発明は、上述のごとき実情に鑑みてなされたもので、画像の複写を禁止するために使用する特定画像情報を画像データに付加するに際し、画像データに対して変更処理が施される場合であっても、その特定画像情報だけを確実に検出することができるように画像を出力することが可能な画像処理装置、画像処理方法、及び、その装置に組み込むためのプログラムを提供することをその目的とする。
【課題を解決するための手段】
【００１１】
上述の課題を解決するために、本発明の第１の技術手段は、画像データを入力する画像入力手段と、該画像入力手段から入力された画像データに対して、該画像データが示す画像を変更させる変更処理を施す画像変更手段と、該画像変更手段で変更処理を施した画像データに対して、特定の画像であることを意味する一定の大きさの特定画像情報を、１又は複数組み付加する特定画像情報付加手段と、該特定画像情報付加手段で前記特定画像情報が付加された後の画像データを記録媒体に記録する画像記録手段とを備えたことを特徴としたものである。
【００１２】
第２の技術手段は、第１の技術手段において、前記画像変更手段は、前記画像入力手段から入力された画像データに対して、該画像データが示す画像を変倍させる変倍処理を施す画像変倍手段を有することを特徴としたものである。
【００１３】
第３の技術手段は、第２の技術手段において、ユーザ操作を受け付け入力するユーザ操作手段を備え、前記画像変倍手段は、前記ユーザ操作手段で入力されたユーザ操作が、倍率指定変倍設定、用紙指定変倍設定、綴じ代設定、集約設定、分割設定の何れかであった場合、各設定に基づく変倍処理を実行することを特徴としたものである。
【００１４】
第４の技術手段は、第２又は第３の技術手段において、前記特定画像情報付加手段は、前記画像変倍手段による画像データの変倍処理によって形成された余白部分には、前記特定画像情報を付加しないことを特徴としたものである。
【００１５】
第５の技術手段は、第１乃至第４のいずれかの技術手段において、前記画像変更手段は、前記画像入力手段から入力された画像データに対して、該画像データが示す画像の濃度を変更させる濃度変更処理を施す画像濃度変更手段を有し、前記特定画像情報付加手段は、前記画像濃度変更手段で濃度変更処理が施された場合であっても前記特定画像情報の濃度をそのままで付加することを特徴としたものである。
【００１６】
第６の技術手段は、第１乃至第５のいずれかの技術手段において、前記画像変更手段は、前記画像入力手段から入力された画像データに対して、該画像データが示す画像の向きを回転させる回転処理を施す画像回転手段を有することを特徴としたものである。
【００１７】
第７の技術手段は、第１乃至第６のいずれかの技術手段において、前記画像記録手段は、記録紙上に画像を形成する画像形成手段であり、前記特定画像情報付加手段は、前記画像形成手段によって記録紙の両面に画像を形成する場合で、且つ前記画像入力手段から入力される画像データが奇数ページ分のデータであった場合に、記録紙の最終ページに相当する空白を示す画像データには前記特定画像情報を付加しないことを特徴としたものである。
【００１８】
第８の技術手段は、画像データを入力する画像入力手段と、画像データに対して画像処理を施す画像処理手段と、画像データを記録媒体に記録する画像記録手段とを備えた画像処理装置における画像処理方法であって、前記画像入力手段が画像データを入力する画像入力ステップと、前記画像入力ステップで入力された画像データに対して、該画像データが示す画像を変更させる変更処理を前記画像処理手段が施す画像変更ステップと、該画像変更ステップで変更処理を施した画像データに対して、特定の画像であることを意味する一定の大きさの特定画像情報を、前記画像処理手段が１又は複数組み付加する特定画像情報付加ステップと、該特定画像情報付加ステップで前記特定画像情報が付加された後の画像データを、前記画像記録手段が記録媒体に記録する画像記録ステップとを含むことを特徴としたものである。
【００１９】
第９の技術手段は、第１乃至第７のいずれかの技術手段における画像処理装置に組み込み、該画像処理装置における演算処理装置を、前記特定画像情報付加手段として、或いは前記特定画像情報付加手段及び前記画像変更手段として、機能させるためのプログラムである。
【発明の効果】
【００２０】
本発明によれば、画像の複写を禁止するために使用する特定画像情報を画像データに付加するに際し、画像データに対して変更処理が施される場合であっても、その特定画像情報だけを確実に検出することができるように画像を出力することが可能となる。
【発明を実施するための最良の形態】
【００２１】
図１は、本発明の画像処理装置が適用されるデジタル複合機の構成例を説明するためのブロック図である。図１で例示するデジタル複合機１は、複写機、プリンタ装置、ファクシミリ装置、スキャナ装置、及び画像記憶装置の機能を備えた複合機として構成されたものである。
【００２２】
デジタル複合機１は、演算を行うＣＰＵ及び演算に伴う一時的な情報を記憶するＲＡＭ等からなる機器制御部１４を備えている。機器制御部１４には、デジタル複合機１を制御するための制御プログラムを記憶しているＲＯＭが含まれる。また、機器制御部１４には、デジタル複合機１が行う処理を管理するための管理情報（各種の制御情報）を記憶するメモリである管理部１７が接続されている。
【００２３】
機器制御部１４には、ユーザ操作手段の一例として、使用者からの操作を受け付け入力する操作部１２が接続されている。操作部１２は、使用者の操作により制御命令などの情報が入力されるタッチパネル又はテンキー等の入力部１２ａと、操作のために必要な情報を表示する液晶パネル等の表示部１２ｂとからなっている。その他、操作部１２では、このデジタル複合機１の管理者や利用者（すなわち操作者）を認証するための認証コードが入力される。また、認証コードは、ＦＡＸモデム１８や通信部１５を介して外部機器から入力することを可能としてもよい。
【００２４】
また、機器制御部１４には、画像入力手段の一つとして、画像データを生成するために記録用紙に記録された画像を読み取る画像読取部１１が接続される。この画像読取部１１には、原稿画像を画像データとして取り込むためのＣＣＤ１１ａと、原稿の有無を検知する原稿検知センサ１１ｂとが設けられる。
【００２５】
また、機器制御部１４には、画像記録手段の一つとして、記録用紙上に画像データを形成する画像形成部１３が接続される。この画像形成部１３には、画像データを一時的に記憶するメモリ１３ａと、メモリ１３ａが記憶した画像データから画像を形成して記録用紙に記録する印字部（ＬＳＵ）１３ｂと、印字部１３ｂで画像形成するための給紙用のトレイ１３ｃ，１３ｄとが設けられる。そして、デジタル複合機１は、画像読取部１１が生成した画像データをメモリ１３ａに一旦記憶させた後、印字部１３ｂで画像を形成することができる。このようにして、デジタル複合機１は複写機として機能する。
【００２６】
また、図１で例示する機器制御部１４には、画像入力手段の一つとして、ファクシミリ通信を行うＦＡＸモデム１８が接続されており、ＦＡＸモデム１８は公衆回線網Ｎ３に接続されている。デジタル複合機１は、公衆回線網Ｎ３を介して他のファクシミリ装置４から送信された画像データをＦＡＸモデム１８で受信し、受信した画像データから画像形成部１３で画像を形成することができる。また、デジタル複合機１は、画像読取部１１が生成した画像データを、ＦＡＸモデム１８に接続された公衆回線網Ｎ３を介して他のファクシミリ装置４へファクシミリ通信にて送信することができる。このとき、ＦＡＸモデムは、外部のファクシミリ装置４へ画像データを記録する画像記録手段の一つとして機能する。このようにして、デジタル複合機１はファクシミリ装置として機能する。
【００２７】
また、機器制御部１４には、デジタル複合機１が外部と情報を送受信するための通信部（送受信手段）１５が接続されている。通信部１５は、社内ＬＡＮ等の通信ネットワークＮ１に接続可能であり、通信ネットワークＮ１には１又は複数のパーソナルコンピュータ（ＰＣ）５が接続可能である。デジタル複合機１が単独で動作している通常の状態では、通信部１５は通信ネットワークＮ１に接続されており、通信ネットワークＮ１を介してＰＣ５との間で情報を交換する。
【００２８】
デジタル複合機１は、画像読取部１１が生成した画像データを通信部１５からＰＣ５へ送信することができる。このようにして、デジタル複合機１はスキャナ装置として機能する。また、デジタル複合機１は、ＰＣ５から送信された画像データを通信部１５で受信し、受信した画像データから画像形成部１３で画像を形成することができる。このようにして、デジタル複合機１はプリンタ装置として機能する。
【００２９】
通信ネットワークＮ１は、更にインターネット等の広域通信ネットワークＮ２に接続されている。通信部１５は、電子メールに画像データを添付して送信するなどの方法により、広域通信ネットワークＮ２に接続されたインターネットファクシミリ装置２や外部ＰＣ３との間で、通信ネットワークＮ１及び広域通信ネットワークＮ２を介して画像データを受信することができる。このようにして、デジタル複合機１はインターネットファクシミリ装置として機能する。
【００３０】
このように、通信部１５は、デジタル複合機１内部へ外部から画像データを受信するときには画像入力手段の一つとして機能し、また、デジタル複合機１側から外部へ画像データを送信するときには画像記録手段の一つとして機能する。
【００３１】
機器制御部１４には、ハードディスク（ＨＤ）１６が接続されている。ハードディスク１６は、画像読取部１１が生成した画像データ等の画像処理に係る画像データを記憶する。デジタル複合機１は、様々な経路から入力された画像データに対して、画像形成部１３で画像形成するのではなく、ハードディスク（ＨＤ）１６に記憶させることで、画像記憶装置として機能する。また、機器制御部１４には消去手段１９が接続される。消去手段１９は、機器制御部１４による制御に従って、ハードディスク１６に記録保持されているデータを消去する。
【００３２】
さらに、機器制御部１４には、本発明に関わる特定画像情報を付加する処理を実現する画像処理部２０が接続される。画像処理部２０は、上述のごとき様々な画像入力手段から入力された画像データに対して、その画像データが示す画像を変更させる変更処理を施す画像変更手段２０ｃを備える。なお、画像変更手段２０ｃとしては、画像変倍手段以外に、画像入力手段から入力された画像データに対して、その画像データが示す画像の濃度を変更する手段や画像の向きを回転させる手段などが例示できる。
【００３３】
ここで、画像変更手段２０ｃは、画像入力手段から入力された画像データに対して、その画像データが示す画像を変倍させる変倍処理を施す画像変倍手段を有することが好ましい。この画像変倍手段は、操作部１２で入力されたユーザ操作が、倍率指定変倍設定、用紙指定変倍設定、綴じ代設定（表紙設定等による間接的な設定も含む）、所謂ｎ  ｉｎ  １と呼ばれる集約設定、及び分割設定の何れかであった場合、各設定に基づく変倍処理を実行する手段である。画像変倍手段は、通常のコピー機などには一般的に具備されている手段であるが、ここではＨＤ１６や外部機器への記憶や送信等の際にも実行可能としておくとよい。
【００３４】
そして、画像処理部２０は、本発明に関わる特定画像情報を付加する処理を実現するための手段として、特定画像情報付加手段２０ｂを備えるものとする。特定画像情報付加手段２０ｂは、画像変更手段２０ｃで変更処理を施した画像データに対して、特定の画像であることを意味する一定の大きさの特定画像情報を、１又は複数組み付加する手段である。本発明では、上述の画像変更手段２０ｃでの画像変更処理がなされた後に、特定画像情報付加手段２０ｂが特定画像情報を付加するものとする。そして、画像変倍手段が１倍処理に相当する処理無しである場合も含むように、画像変更手段は画像を変更しない場合もあり、その場合には画像変更手段を介さない処理となるよう構成してもよいし、一旦画像変更手段を介すように構成してもよい。上述した様々な画像記録手段は、特定画像情報付加手段２０ｂで特定画像情報が付加された後の画像データを記録媒体に記録する。
【００３５】
詳細には、特定画像情報付加手段２０ｂは、画像データに付加すべき特定画像情報を予め保持しておき（若しくは他のアクセス可能なメモリに保持させておき）、機器制御部１４による特定画像情報の付加に関する制御に従って特定画像情報を画像データに付加し、メモリ１３ａに保持させる。例えば画像記録手段として画像形成手段を使用する場合、画像処理部２０で処理された画像データは、印字部１３ｂで最終的に出力される形態の印刷データとなる。画像変倍処理などの画像変更処理を実行する場合、例えば、画像入力手段で入力された画像データをＨＤ１６に保存し、その画像データをメモリ１３ａのワークメモリ上で画像変更処理を施して、メモリ１３ａのページメモリ上へ移し、ページメモリ上で特定画像情報と合成して、印字部１３ｂで印刷する。
【００３６】
このように、原稿の画像データにコピー禁止などの特定画像情報を付加する場合には、画像処理部２０で画像の変倍、回転などの処理が行われた画像データに、特定画像情報付加手段２０ｂ（特定画像発生手段とも言える）で生成された特定画像を付加して、印刷等の画像記録処理が行なわれる。その他、レーザプリンタ内のレーザ走査回路に特定画像情報を与え、原稿の画像データに対するレーザの走査時に、特定画像を付加することも可能であり、その場合、特定画像情報付加手段２０ｂはレーザ走査回路に特定画像情報を伝送する手段となる。
【００３７】
本発明では、上述のごとく、画像データと特定画像情報（特定パターン）とを合成し、１つの画像データとして形成するが、そのとき、画像データを変倍や濃度変更や回転などを施す場合であっても、付加する特定パターンは所定の大きさのままとする。すなわち、本発明では、変倍時等の画像変更時に特定パターンは変倍を行わない。本発明によれば、印刷を行う画像データの印刷倍率が変更された場合など、入力された画像データに変更があった場合であっても、常に一定の大きさの特定パターン、すなわちコピー抑制情報を付加することができ、確実な検出が可能となって確実にコピー抑制を行うことが可能となる。
【００３８】
特定画像情報は、上述のように複写を禁止する（或いは複写禁止であることをユーザに認知させて牽制を行う）ために使用されるものであり、例えばカラー複合機であれば黄色の特定画像情報を視認できないように付加するとよい。また、モノクロ複合機であれば（或いはカラー複合機であってもモノクロ出力の場合には）濃度調整した黒（グレー）を視認できないように付加するとよい。
【００３９】
また、画像変更手段として画像変倍手段を備え、画像記録手段として画像形成手段を備えた形態において、特定画像情報付加手段２０ｂは、画像変倍手段による画像データの変倍処理によって形成された余白部分には、特定画像情報を付加しないようにすることが、トナーやインクなどの節約が可能となるので好ましい。
【００４０】
また、画像データに濃度変更を施す場合であっても、付加する特定パターンは所定の大きさのままとしたが、画像データに濃度変更を施した場合、特定パターンは、その大きさだけではなくその濃度も一定とすることが好ましい。
【００４１】
また、画像データが示す画像の向きを９０度回転するなど回転させる場合であっても、付加する特定パターンは所定の大きさのままとしたが、回転させた場合、特定パターンは、その大きさを一定とするだけでなく、角度も一定にしておくことが検出精度の点から好ましい。ここで、特に最初から斜め方向の特定パターンを付加することが好ましい。勿論、画像データが示す画像の向きの回転と同じく、特定パターンの角度も回転させてもよい。
【００４２】
また、画像記録手段として記録紙上に画像を形成する画像形成手段を採用した場合、画像形成手段によって記録紙の両面に画像を形成する場合がある。このような場合、特定画像情報付加手段２０ｂは、画像入力手段から入力される画像データが奇数ぺージ分のデータであった場合に、記録紙の最終ページに相当する空白を示す画像データには特定画像情報を付加しないようにすることが好ましい。記録枚数が奇数枚の場合には、最終ページ（記録紙における最終ページ）に特定パターンを印刷しないようにすることで、トナーやインクの節約ができる。
【００４３】
特定画像情報の設定及び付加処理においては、上述した好ましい形態などを適宜採用して処理を実行すればよい。例えば、特定画像情報としての所定のパターン（特定パターン）画像は、ＹＭＣＫのトナーの色の単色から選択可能で、１枚の出力用紙に付加するパターン色は複数個であり同じ色であるようにしてもよい。また、モノクロコピー（ＦＡＸ，プリンタ）モードで印字した場合は付加するパターンの色を黒にし、カラーモードで印字した場合は、ＹＭＣＫの４色から選択可能であるようにしてもよい。さらに、再生紙でも検出できるよう黄色のパターンを選択した場合は黒のパターンを選択した場合より濃くするかドットを大きくするようにしてもよい。画像データをモノクロ２値で印字する場合は画像データを印字する濃度値より、付加パターンの濃度値を薄くするなどしてもよい。
【００４４】
また、所定のパターン画像は、同じ画像を少なくともＭ＋Ｎ個以上付加するようにしてもよい。実際に検出するときに、そのパターンをＮパターン検出することで付加情報を付加した原稿であることを識別することで、付加したパターンの１部分だけを検出するだけで良くなるので、付加パターンを目立たないパターンにすることが可能となる。また、黒で印字する時の付加印字パターンのプリミティブを大きさを黄色で印字する時より小さくすることで、再生紙に印字した時も検出することができるだけでなく、目立ち難い薄く小さなパターンにすることが可能となる。また、付加するパターン画像の数は、セキュリティ強度によって可変するようにしてもよい。
【００４５】
一方で、画像処理部２０は、画像読取部１１で読み取られてメモリ１３ａに保存された画像データに特定画像情報が含まれるか否かを検出する特定画像情報検出手段２０ａを有することが好ましい。特定画像情報検出手段２０ａの検出結果、画像データに特定画像情報が含まれていれば、機器制御部１４は、その画像データの複写を禁止する（画像形成部１３における画像形成を無効にする）制御を行う。例えば、スキャナで読み取られた画像データなどの入力画像データは画像処理部２０に入力されるが、特定画像情報検出手段２０ａ（特定画像判別手段とも言える）に入力され、コピー禁止情報などの特定画像の判別を行うようにし、特定画像が検出された場合には、特定画像であることを画像形成禁止指示回路に入力され、画像形成禁止指示回路から画像形成の禁止指示を行うとよい。
【００４６】
このように、本発明では画像処理部２０などに画像無効化手段を備えることが好ましい。換言すると、この画像無効化手段は、特定画像情報検出手段２０ａで特定画像情報が存在すると判定されたときには、画像読取部１１で読み取った画像情報を無効にする手段である。また、原稿によっては、文字が込み入ったものやゴミと呼ばれる出力（印刷やＦＡＸ出力等）部分があるので、付加する所定の画像は、上述したように同じパターンをＭ＋Ｎ以上付加するよう設定して画像形成しておき、特定画像情報検出手段２０ａは、識別する場合に、付加したパターンをＭ個識別した時点で検出するようにしておくことが好ましい。このＭ個という情報は、当然、付加する数のうちのパーセンテージで決定しておいてもよい。
【００４７】
図２は、図１の画像処理装置における本発明に主として係わる構成のみを示すブロック図で、図３は、図２の画像処理装置における判定部の構成例を示すブロック図で、図４は、図１の画像処理装置において付加される特定画像情報の一例を示す図である。図２乃至図４を参照して、本発明に係る特定画像情報の付加や検出について、より具体的に説明する。
【００４８】
デジタル複合機１は、主として、利用者が原稿をセットするなどして印刷等を行うための操作パネル１２と、原稿のデータを入力するスキャナ，ＦＡＸ，プリンタ等の画像入力部１０と、画像入力部１０で入力した画像データを一時的に格納するメモリ１３ａと、同じく画像入力部１０で入力された原稿の画像データに、特定画像が出力されているか（特定画像情報が含まれているか）を判定する特定画像情報検出手段（判定部）２０ａと、メモリ１３ａに格納された画像データを読み出して画像変更処理を施して、メモリ１３ａに再度書き込む変更部（画像変更手段を具備する）２０ｃと、メモリ１３ａに格納された画像データに対し、所定の条件（例えばアクセス権や処理経路の条件）に基づき特定画像情報を付加する特定画像情報付加部（特定画像情報付加手段を具備）２０ｂと、１又は複数種類の特定画像情報を格納し特定画像情報付加部２０ｂで付加を実行する際に該当する種類の特定画像情報を特定画像情報付加部２０ｂに供給する特定画像情報管理部１７ａと、特定画像情報管理部１７ａで供給する特定画像情報に対してその色や数や位置などの付加条件設定を行い記憶する付加条件管理部１７ｂと、メモリ１３ａに格納された画像データに対し、上述の所定の条件が合った場合に、付加条件管理部１７ｂで管理されその中から選択された色や数や位置に基づき、特定画像情報付加部２０ｂで特定画像情報を付加して（重ね合わせて）出力する出力部（プリンタ１３ｂ等）と、それらを制御する機器制御部１４とで構成される。ここで、特定画像情報管理部１７ａ及び付加条件管理部１７ｂは、複数種類の特定画像情報に対応させるためのものであり設けなくてもよい。
【００４９】
このような構成により、画像処理部２０は、入力された画像データを展開処理し、印刷実行データとして画像メモリ１３ａに記憶保持させる。また、画像処理部２０では、色や数を設定し、設定された色や数をもつ特定画像情報を、特定画像情報付加手段２０ｂにより画像データに付加して、印刷実行データを生成する。そして、プリンタ１３ｂは、画像メモリ１３ａに記録保持された印刷実行データを使用して、記録紙等に対する画像形成を行う。ここで付加する特定画像情報としては、図４に例示する特定パターン３０など様々なものが採用できる。図４（Ａ）で例示した特定パターン３０は丸のドット３０ａが５つ等間隔で所定の角度で斜めに配置されてなるパターンであり、図４（Ｂ）で例示した特定パターン３１は四角のドット３１ａが５つ等間隔で縦方向に配置されてなるパターンである。ここで、等間隔でなくてもよく、ドットの数や配置も任意に決めておけばよい。また、特定パターンを複数個配列する場合の配列も任意に決めておけばよい。
【００５０】
判定部２０ａは、主として、画像データを入力する入力部２１と、入力した画像データから特定画像情報を検出する検出部２３と、検出部２３で検出した特定画像情報の数をカウントするカウンタを有しカウント値や座標等を管理する管理部２２と、検出部２３での判定条件（特定画像情報の数等）を設定する判定条件設定部２４と、検出部２３で検出された数が判定条件を満たすか否かを判定して結果情報として機器制御部１４に通知する判定結果通知部２５とで構成される。
【００５１】
次に、本発明に係る特定画像情報の付加に先だって実行される画像変更処理について、画像変倍処理を例に挙げて説明する。図５乃至図９は、画像変倍処理の様々な例を説明するための図である。
【００５２】
図５では、画像Ａ（４１ａ）を記録用紙４１に印刷した標準原稿に対し、横綴じ処理が施された場合と、画像Ｂ（４２ａ）を記録用紙４２に印刷した標準原稿に対し、縦綴じ処理が施された場合とを例示している。横綴じ処理では、横側（ここでは左側）に余白が形成されることとなるが、その余白を形成するために画像Ａ（４１ａ）を所定の縮小率で縮小した画像Ａ（４３ａ）が記録用紙４３に印刷される。一方、縦綴じ処理では、縦側（ここでは上側）に余白が形成されることとなるが、その余白を形成するために画像Ｂ（４２ａ）を所定の縮小率で縮小した画像Ｂ（４４ａ）が記録用紙４４に印刷される。いずれの場合でも、形成された余白部分には特定画像情報を付加しないことが好ましく、特定画像情報は画像Ａ，Ｂの縮小の影響を受けず標準原稿として印刷する場合と同じ大きさとする。
【００５３】
図６では、図５の横綴じ処理を両面印刷した結果を例示しており、記録用紙４５の裏面に相当する紙面には左側に余白を形成した縮小画像Ａ（４５ａ）が、続くページとなる記録用紙４６の表面に相当する紙面には右側に余白を形成した縮小画像Ｂ（４６ａ）が、それぞれ形成されている。また、図７では、図５の右側の縦綴じ処理を両面印刷した結果を例示しており、記録用紙４７の裏面に相当する紙面には下側に余白を形成し１８０度回転させた縮小画像Ａ（４７ａ）が、続くページとなる記録用紙４８の表面に相当する紙面には上側に余白を形成した縮小画像Ｂ（４８ａ）が、それぞれ形成されている。
【００５４】
図８では、画像Ａ，Ｂに対して２  ｉｎ  １処理が施され、中綴じ処理印刷を施した例を、図８（Ａ）に上面図として、図８（Ｂ）に斜視図として示している。この例では、元の画像Ａを縮小した画像Ａ（４８ａ）を記録用紙４８の左半分に印刷し、元の画像Ｂを縮小した画像Ｂ（４８ｂ）を記録用紙４８の右半分に印刷し、それらの中央に境界線４８ｃを印刷している。勿論、境界線４８ｃは印刷しなくてもよく、その場合、図９（Ａ）に例示したように、記録用紙４９上に縮小画像Ａ（４９ａ）及び縮小画像Ｂ（４９ｂ）が印刷される。また、図９（Ｂ）には、画像Ａ〜Ｄに対して４  ｉｎ  １処理が施された例を示している。この例では、元の画像Ａを縮小した画像Ａ（５０ａ）を記録用紙５０の左半分上側の四半分に印刷し、元の画像Ｂを縮小した画像Ｂ（５０ｂ）を記録用紙５０の右半分上側の四半分に印刷し、元の画像Ａを縮小した画像Ｃ（５０ｃ）を記録用紙５０の左半分下側の四半分に印刷し、元の画像Ｂを縮小した画像Ｄ（５０ｄ）を記録用紙５０の右半分下側の四半分に印刷している。いずれの場合でも、形成された余白部分には特定画像情報を付加しないことが好ましく、特定画像情報は画像Ａ，Ｂ又は画像Ａ〜Ｄの縮小の影響を受けず標準原稿として印刷する場合と同じ大きさとする。
【００５５】
図１０乃至図１４は、図１の画像処理装置における表示部で表示される表示画面例を示す図である。図１の画像処理装置（デジタル複合機１）において、ユーザ操作部１２の表示部１２ｂには表示画面６０が表示される。この表示画面６０は、ＧＵＩ（グラフィカルユーザインターフェース）を用いて表示構成するとよい。
【００５６】
図１０の表示画面６０において、特別機能６１の領域をユーザが押下すると、図１１の表示画面６０のように、とじしろ６１ａ、枠消去６１ｂ、１セット２コピー６１ｃ、中とじ６１ｄ、大量原稿モード６１ｅ、及びマルチショット６１ｆといったサブメニューが表示される。
【００５７】
図１１の表示画面６０で、とじしろ６１ａの領域をユーザが押下した場合、図１２の表示画面６０のように、左綴じ代６２ａ又は右綴じ代６２ｂの選択領域と共に、その綴じ代量を表面と裏面とで設定できる設定領域６２ｃ，６２ｄが表示され、ユーザは所望の設定を行える。これにより、図５乃至図７で例示したような印刷結果が得られる。また、図１１の表示画面６０で、中とじ６１ｄの領域をユーザが押下した場合、図１３の表示画面６０のように、原稿が片面であるか両面であるかの設定領域６３ａと共に、左綴じ又は右綴じのいずれであるかの選択領域６３ｂが表示され、ユーザは所望の設定を行える。これにより、図８で例示したような印刷結果が得られる。また、図１１の表示画面６０で、マルチショット６１ｆの領域をユーザが押下した場合、図１４の表示画面６０のように、２  ｉｎ  １処理であるか４  ｉｎ  １処理であるかの設定領域６４ａと共に、そのレイアウト（２  ｉｎ  １であれば最初のページを左右のどちらにもっていくか）の選択領域６４ｂが表示され、ユーザは所望の設定を行える。これにより、図９で例示したような印刷結果が得られる。
【００５８】
図１５は、図１の画像処理装置における特定画像情報付加処理の一例を説明するためのフロー図で、本発明に係る画像処理方法の一例を説明するためのフロー図である。図１０乃至図１４で例示したようなユーザ操作がなされた結果、画像の変倍が必要な場合について、図１５を参照して特定画像情報付加処理の一例を説明する。なお、説明の簡略化のため画像の拡大については説明しないが、同様に適用可能である。
【００５９】
まず、入力された画像データに対して、画像変更手段２０ｃが画像の変倍処理を開始する（ステップＳ１）。画像変更手段２０ｃは倍率の指定があったか否かを判定し（ステップＳ２）、指定が無ければステップＳ３へ進み、指定があれば（すなわち倍率指定変倍処理であれば）ステップＳ１１へ進み、指定された倍率に縮小率の設定を行ってステップＳ１３へ進む。
【００６０】
ステップＳ３では、画像変更手段２０ｃは、綴じ代や集約等の処理が設定されているか否かを判定する。ステップＳ３で綴じ代が設定されている場合には、その設定に合わせて縮小率を決定して（ステップＳ１２）、その縮小率で画像を縮小し（ステップＳ１３）、ステップＳ８へ進む。ステップＳ３でＮ  ｉｎ  １処理（集約処理）が設定されている場合には、その集約処理に応じた縮小率を決定し（ステップＳ４）、画像の配置を決定して（ステップＳ５）、画像を縮小し（ステップＳ６）、縮小した画像を配置して（ステップＳ７）、ステップＳ８へ進む。
【００６１】
ステップＳ８では、特定画像情報付加手段２０ｂが、特定パターンを付加する位置に相当する画像部を画像データの中から抽出する。ステップＳ８に続き、特定画像情報付加手段２０ｂが、特定パターンをその画像部に合成する（ステップＳ９）。その後、印字部１３ｂが、特定パターンが合成された画像データを印字する（ステップＳ１０）。
【００６２】
ここで、図１で説明した機器制御部１４について補足的に説明する。図１の制御部１４は、実際には、ＣＰＵ，ＭＰＵ等の中央演算処理装置と、特定画像情報付加プログラム（及び画像変更プログラム）を含むファームウェアが格納されたＲＯＭ（但し書き換え可能なＲＯＭであることが好ましい）と、ファームウェアを中央演算処理装置が読み出して実行する実行領域としてのＲＡＭなどにより構成される。このように、本発明は特定画像情報付加（及び画像変更）プログラムとしての形態も採用できる。このプログラムとしては、少なくとも本実施形態に係る特定画像情報付加（及び画像変更処理）を中央演算処理装置に実行させるためのプログラムであればよい。つまり、このプログラムは、デジタル複合機１等の画像形成装置やその他の画像処理装置に組み込み、その装置における中央演算処理装置を、上述した特定画像情報付加手段２０ｂ（及び画像変更手段２０ｃ）や、その他、上述する、特定画像情報検出手段２０ａ、画像読取手段の一部、画像無効化手段等の各手段として、機能させるためのプログラムである。
【００６３】
このような本発明に係るプログラムは、必要に応じてデータと共に、コンピュータ読み取り可能な記録媒体に格納されて配布されるか、ネットワーク経由で配信される。このような記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定できる。そして、上述のごときプログラムを記録媒体に記録して流通させることにより、本発明に係る機能の実現を容易にする。このプログラムは、例えば、コンピュータ等の情報処理装置に、上述のごとくの記録媒体を装着して情報処理装置によりプログラムを読み出して画像処理装置の制御部に転送するなどして、プログラムを画像処理装置において実行可能に格納することができる。そして、必要に応じて読み出すことにより、本発明に係わる機能を実行することができる。
【００６４】
次に、機器制御部１４の例として、それを備えた、図１６に示す一般的な情報処理装置の構成例を説明する。情報処理装置７０は、各種情報を入力するためのキーボード，マウス，記録媒体読取装置，他の機器からの入力用のネットワーク機器などの入力装置７４、各種情報を表示するためのＣＲＴ（Ｃａｔｈｏｄｅ−ｒａｙ  Ｔｕｂｅ），ＬＣＤ（Ｌｉｑｕｉｄ  Ｃｒｙｓｔａｌ  Ｄｉｓｐｌａｙ），ＰＤＰ（Ｐｌａｓｍａ  Ｄｉｓｐｌａｙ  Ｐａｎｅｌ）などのディスプレイである表示装置７５（入力装置７４と併せてタッチパネルを構成してもよい）、ネットワーク接続装置（ネットワークに接続して通信を行うためのネットワークボード等の通信機器）などの通信装置や印刷装置，記録媒体用記録装置などの外部出力装置等の出力装置７６、さらには、本発明に係るプログラムを記録したハードディスクやＲＯＭ７３、そこに格納されたプログラムを実行するためのＣＰＵ７１、及びその実行領域としてのＲＡＭ７２をその主要な構成要素とし、それらがバス７７により接続されているものとして例示している。このプログラムは、ユーザが各種設定時などに使用する際に容易となるように、表示装置７５用のＧＵＩを備えるようにするとよい。そして、これら装置で取り扱われる情報は、その処理時に一時的にＲＡＭ７２に蓄積され、その後、各種ＲＯＭ７３やハードディスクに格納され、必要に応じて、ＣＰＵ７１によって読み出し、修正・書き込みが行われる。
【図面の簡単な説明】
【００６５】
【図１】本発明の画像処理装置が適用されるデジタル複合機の構成例を説明するためのブロック図である。
【図２】図１の画像処理装置における本発明に主として係わる構成のみを示すブロック図である。
【図３】図２の画像処理装置における判定部の構成例を示すブロック図である。
【図４】図１の画像処理装置において付加される特定画像情報の一例を示す図である。
【図５】画像変倍処理の一例を説明するための図である。
【図６】画像変倍処理の他の例を説明するための図である。
【図７】画像変倍処理の他の例を説明するための図である。
【図８】画像変倍処理の他の例を説明するための図である。
【図９】画像変倍処理の他の例を説明するための図である。
【図１０】図１の画像処理装置における表示部で表示される表示画面例を示す図である。
【図１１】図１の画像処理装置における表示部で表示される表示画面例を示す図である。
【図１２】図１の画像処理装置における表示部で表示される表示画面例を示す図である。
【図１３】図１の画像処理装置における表示部で表示される表示画面例を示す図である。
【図１４】図１の画像処理装置における表示部で表示される表示画面例を示す図である。
【図１５】図１の画像処理装置における特定画像情報付加処理の一例を説明するためのフロー図である。
【図１６】一般的な情報処理装置の一構成例を示す図である。
【符号の説明】
【００６６】
１…デジタル複合機、２…インターネットファクシミリ装置、３…外部ＰＣ、４…ファクシミリ装置、５…ＰＣ、１０…画像入力部、１１…画像読取部、１１ａ…ＣＣＤ、１１ｂ…原稿検知センサ、１２…操作部、１２ａ…入力部、１２ｂ…表示部、１３…画像形成部、１３ａ…メモリ、１３ｂ…印字部、１３ｃ，１３ｄ…トレイ、１４…機器制御部、１４ａ…制御部、１４ｂ…判定部、１５…通信部、１６…ハードディスク、１７…管理部、１７ａ…特定画像情報管理部、１７ｂ…付加条件管理部、１８…ＦＡＸモデム、１９…消去手段、２０…画像処理部、２０ａ…特定画像情報検出手段、２０ｂ…特定画像情報付加手段、２０ｃ…画像変更手段、２１…入力部、２２…管理部、２３…検出部、２４…判定条件設定部、２５…判定結果通知部。
【図１】
2007184767.tif 000003
【図２】
2007184767.tif 000004
【図３】
2007184767.tif 000005
【図４】
2007184767.tif 000006
【図５】
2007184767.tif 000007
【図６】
2007184767.tif 000008
【図７】
2007184767.tif 000009
【図８】
2007184767.tif 000010
【図９】
2007184767.tif 000011
【図１０】
2007184767.tif 000012
【図１１】
2007184767.tif 000013
【図１２】
2007184767.tif 000014
【図１３】
2007184767.tif 000015
【図１４】
2007184767.tif 000016
【図１５】
2007184767.tif 000017
【図１６】
2007184767.tif 000018